(57)【要約】【課題】  老人が居る場所を把握できるとともに、夜間などには自動車の運転者等に遠くから存在を知らしめて、交通事故等に対する老人の安全を図ることを可能とした老人用杖である。【解決手段】  老人用杖１は、握り部２に親器と直接または中継機を介して無線通信して親器の表示部に老人が居る場所の地図を表示させる探査用子器４を設け、杖本体部３に複数個の点滅灯６を設け、杖本体部３の下部に杖１の下方を照らすライト７を設けた。【選択図】  図１
2008302006.tif 000002
【特許請求の範囲】
【請求項１】
老人が持つ杖であって、握り部に親器と直接または中継機を介して無線通信して該親器の表示部に前記老人が居る場所の地図を表示させる探査用子器を設け、該杖本体部に少なくとも１個の点滅灯を設けたことを特徴とする老人用杖。
【請求項２】
前記杖本体部の下部に下方を照らすライトを設けた請求項１の老人用杖。
【請求項３】
前記点滅灯を夜間になると自動的に点滅させる自動点灯スイッチを設けた請求項１または２の老人用杖。
【請求項４】
前記ライトを夜間になると自動的に点灯させる自動点灯スイッチを設けた請求項１〜３のいずれかの項に記載の老人用杖。
【発明の詳細な説明】
【技術分野】
【０００１】
本発明は、老人が持って出かけることにより、家人が老人の居る場所を把握できるとともに、夜間などには自動車の運転者等に遠くから存在を知らしめて、交通事故等に対する老人の安全を図ることを可能とした老人用杖に関する。
【背景技術】
【０００２】
近年、高齢社会に伴い、老人が外に出かけることが多くなっているが、視力や運動能力が低下したり、周囲に対する注意力が低下する性質上、交通事故や犯罪に巻き込まれる怖れが多く、家の者は老人が家に帰ってくるまで心配しなければならない。
【０００３】
特に老人が夜間外出したときにはその心配は大である。また痴呆等に伴う徘徊癖のある老人などの場合には、昼間であっても安心できず、老人が中々家に帰ってこない場合には、家人は広範囲な箇所を捜索しなければならなくなり、身柄を安全に保護するのに困難を極める。
【０００４】
なお、従来、透明な中空プラスチック製棒に電球を内装し、夜間等に電池で電球を点灯して棒部全体を光らせることにより、運転者に老人等の歩行者を遠方から認識可能とした夜光ステッキが知られている（例えば特許文献１を参照）。この夜光ステッキによれば、交通事故に対する老人の安全を図ることができるが、老人が居る場所を家人が把握できる
ことができない。
【特許文献１】特開平６−３１５５０９号公報
【発明の開示】
【発明が解決しようとする課題】
【０００５】
このようなことから、老人が杖を持って出かけることにより、家人が老人が居る場所を把握できるとともに、夜間などには自動車の運転者等に遠くから存在を知らしめて、交通事故等に対する老人の安全を図ることを可能とした特性を有する老人用杖が望まれている。
本発明の課題は、上記特性を具備した老人用杖を提供することである。
【課題を解決するための手段】
【０００６】
上記課題を解決するために、本発明は、老人が持つ老人用杖であって、握り部に親器と直接または中継機を介して無線通信して該親器の表示部に前記老人が居る場所の地図を表示させる探査用子器を設け、該杖本体部に少なくとも１個の点滅灯を設けたことを特徴とする。
【０００７】
本発明によれば、前記杖本体部の下部に下方を照らすライトを設けることができる。前記点滅灯を夜間になると自動的に点滅させる自動点灯スイッチを設けることができる。同じく、前記ライトを夜間になると自動的に点灯させる自動点灯スイッチを設けることができる。
【０００８】
本発明の老人用杖によれば、杖本体部に点滅灯を設けたので、夜間、老人が杖を持って歩くと、自動車の運転者等が点滅灯の点滅を見て遠くから人の存在を知ることができ、人に注意して運転等を行うことを促すことができるので、交通事故等に対する老人の安全を図ることができる。また杖本体部の下部に設けた下方を照らすライトにより歩く先を照らすことができるので、歩く先に老人が躓きやすい凸凹、段差等があっても回避する等により、躓いたりすることなく安全に歩くことができる。さらに杖の握り部に探査用子器を設けて、親器と無線通信して親器の表示部に老人が居る場所の地図を表示させるようにしたので、家人が家に居ながら必要なとき老人が居る場所を探査して把握することができる。したがって、夜間外出したときにも安心であり、また痴呆等に伴う徘徊癖のある老人が、家に中々帰ってこない場合でも、家人は老人が居る場所に容易に捜索に行って、身柄を安全に保護することができる。
【発明の効果】
【０００９】
本発明の老人用杖によれば、点滅灯を点滅することにより、夜間、老人に交通事故等に対する安全を図ることができ、ライトで歩き先を照らすことにより、躓いたりすることなく安全に歩くことができ、探査用子器と親器との無線通信で親器の表示部に老人が居る場所の地図を表示させることにより、家人が家に居ながら老人が居る場所を探査して把握でき、家に中々帰ってこない場合でも容易に捜索に行くことができる。
【発明を実施するための最良の形態】
【００１０】
以下、図面を参照して本発明の実施形態を詳述する。図１は本発明の老人用杖の一実施形態を示す正面図である。本実施形態の老人用杖１は、握り部２とこれに続く杖本体部３の全体が軽量材、本例ではアルミ製のパイプで形成され、図２に示すように、握り部２のネジが切られた直線状の嵌合部２ａを杖本体部３のネジが切られた上端部３ａに捩じ込むことによって、握り部２と杖本体部３とが一体に結合される。この握り部２に探査用子器４が設けられ、杖本体部３に点滅灯６とライト７とが設けられている。
【００１１】
杖本体３の上端部３ａ内には、点滅灯６およびライト７への給電用の電源部８が設置され、乾電池８ａで構成されている。握り部２は、直線部２ａに続けて手で握りやすい適宜の形状、本例では円弧状の湾曲部２ｂを一体に設けてなっており、湾曲部２ｂの直線部２ａ寄りの位置に上記の探査用子器３が埋設されている。また直線部２ａの上部を突出したスイッチ部５を設け、スイッチ部５に点滅灯６およびライト７の図示しないスイッチを設置している。点滅灯６およびライト７の各スイッチは、手動でオンするスイッチの他、外の明るさを光センサで検知して、暗くなったら自動的にスイッチがオンする自動点灯式の
ものを組み込んでいる。またスイッチ部５には、探査用子器４に接続された図示しないアンテナを設置している。
【００１２】
点滅灯６は、杖本体部３の前面、両側面など適宜位置に少なくとも１つ設けられており、本例では、前面に長手方向に沿って複数個設けられている。点滅灯６はＬＥＤ等の低電力消費の発光素子が好適に用いられる。夜間、老人が杖１を持って歩くと、自動車の運転者は点滅灯６の点滅を見て遠くから人の存在を知ることができ、人に注意して運転することを促すことができるので、老人に交通事故に対する安全が図られる。
【００１３】
ライト７は、杖本体部３の下部に設けられ、杖本体部３の下方を照射して照らすためものである。ライト７は、杖本体部３の下部の周囲に複数個の豆電球を設けて構成されている。夜間、老人が杖１を持って歩くと、ライト７の照射により老人の歩く先が照らされるので、凸凹、段差等の老人が躓きやすい箇所があっても、その不適当な箇所を回避することにより、躓いたりすることなく安全に歩くことができる。
【００１４】
探査用子器３は、図３に示すように、老人の家人の家にある親器１１とともに探査機を構成し、親器１１と直接に無線通信または空中の通信衛星１２或いは通信用地上局を中継機として間接的に無線通信する。そして親器１１にＧＰＳ等の位置探査システムにより杖１を持った老人１０が居る場所を探査させて、親器１１のディスプレイ画面１３に老人１０が居る場所の地図を表示させるものである。ディスプレイ画面１３に表示された地図には、老人の居る位置を例えば×印等の適当な位置マーク１４で表示し、その位置マーク１４は点滅させてもよい。子器３は専用電源を設けてもよいが、親器１１からの呼び出しの通信電波からエネルギーを子器３が確保して起動する無電源方式のものがよい。
【００１５】
この場所探査機の子器３を備えた杖１を老人が持って出かけることにより、家人が家に居ながら必要なとき老人が居る場所を探査して把握することができ、夜間外出したときにも安心である。また痴呆等に伴う徘徊癖のある老人が、家に中々帰ってこない場合でも、家人は老人が居る場所を把握して直ちに捜索に行け、広範囲な箇所を捜索することなく身柄を保護することができる。
【００１６】
本実施形態の老人用杖は、以上のように構成され、点滅灯を点滅することにより、夜間、老人に交通事故等に対する安全を図ることができ、ライトで歩き先を照らすことにより、躓いたりすることなく安全に歩くことができ、探査用子器と親器との無線通信で親器の表示部に老人が居る場所の地図を表示させることにより、家人が家に居ながら老人が居る場所を探査して把握でき、家に中々帰ってこない場合でも容易に捜索に行くことができる。
【図面の簡単な説明】
【００１７】
【図１】本発明の老人用杖の一実施形態を示す側面図である。
【図２】図１の杖の本体部と握り部との結合部を示す断面図である。
【図３】図１の杖の握り部に設けられた探査用子器と親器との通信により親器の表示部に老人の居る場所の地図を表示するところを示す説明図である。
【符号の説明】
【００１８】
１    老人用杖
２    握り部
３    杖本体部
４    探査用子器
５    スイッチ部
６    点滅灯
７    ライト
８    電源部
１０  老人
１１  親器
１２  通信衛星
１３  表示部
１４  位置マーク
【図１】
2008302006.tif 000003
【図２】
2008302006.tif 000004
【図３】
2008302006.tif 000005